(57)【特許請求の範囲】
【請求項１】
外郭を構成する本体下部と、前記本体下部の上面に載置し固定した樹脂成形された本体上部と、前記本体上部の上面を密封する操作シートを有する操作パネルと、前記本体上部内に電気湯沸かし器を前記操作シートを介して操作される操作用基板と、使用者に報知する報知器とを備え、前記報知器は前記操作用基板の下部に配置し、前記本体上部は内部に、前記報知器の周囲の空間を報知音が前記空間で反響し前記本体上部が響板となるべく大きく設けた凹部を設けた電気湯沸かし器。
【請求項２】
報知器と操作パネルの間に何も存在しない連続した空間を設けた請求項１記載の電気湯沸かし器。
【請求項３】
操作基板に貫通孔を設けた請求項１記載の電気湯沸かし器。
【請求項４】
本体上部は報知器を配設する周囲の肉厚を他の部分の肉厚より薄く成形した請求項１から３のいずれか１項記載の構成の電気湯沸かし器。
【請求項５】
操作パネルの一部または全部をフィルム状とした操作シートを備えた請求項１から４のいずれか１項記載の構成の電気湯沸かし器。
【請求項６】
操作パネルは肉厚な基板保護部と、フィルム部からなる操作部分となる操作シートを備え、操作部分以外にも前記基板保護部に開口部を設け前記開口部はフィルム部のみにする構成とした請求項１から４のいずれか１項記載の構成の電気湯沸かし器。
【請求項７】
報知器近傍の本体上部の凸部の壁に開口を設け撥水処理を施したシートを貼付けた請求項１から６のいずれか１項記載の構成の電気湯沸かし器。
【発明の詳細な説明】
【０００１】
【発明の属する技術分野】
本発明は、容器内に収容した液体を加熱・保温し、器体外へ導出する電気湯沸かし器に関するものである。
【０００２】
【従来の技術】
従来、この種の電気湯沸かし器の報知器２５は、図７（ａ）のように電気湯沸かし器の本体の下部に配置しているか、図７（ｂ）のように電気湯沸かし器を操作する操作用基板２４と共に本体上部２２内の狭い空間に操作シート２３で外面を密閉され、報知器２５は操作用基板２４と本体上部２２に囲まれて配置されていた。
【０００３】
【発明が解決しようとする課題】
前記従来の構成では、報知器の報知音は小さくなり、報知効果は十分でないという問題があった。本発明は前記従来の課題を解決するもので、密閉された空間の中で、より大きな報知音を出す電気湯沸かし器の提供を目的とする。
【０００４】
【課題を解決するための手段】
前記従来の課題を解決するために、本発明の電気湯沸かし器は、外郭を構成する本体下部と、前記本体下部の上面部に載置し固定した樹脂成形された本体上部と、前記本体上部の上面を密封する操作シートを備えた操作パネルと、前記本体上部内に電気湯沸かし器を前記操作シートを介して操作される操作用基板と、使用者に報知する報知器とを備え、前記報知器は前記操作用基板の下部に配置し、前記本体上部は内部に、前記報知器の周囲の空間を報知音が前記空間で反響し前記本体上部が響板となるべく大きく設けた凹部を設けたものである。
【０００５】
これにより報知音が空間で反響し、本体外へ大きな報知音を出す電気湯沸かし器を提供することが出来る。
【０００６】
【発明の実施の形態】
請求項１に記載の発明は、外郭を構成する本体下部と、前記本体下部の上面部に載置し固定した樹脂成形された本体上部と、前記本体上部の上面を密封する操作シートを備えた操作パネルと、前記本体上部内に電気湯沸かし器を前記操作シートを介して操作される操作用基板と、使用者に報知する報知器とを備え、前記報知器は前記操作用基板の下部に配置し、前記本体上部は内部に、前記報知器の周囲の空間を報知音が前記空間で反響し前記本体上部が響板となるべく大きく設けた凹部を設けたものである。これにより報知音が空間で反響し、本体外へ大きな報知音を出す電気湯沸かし器を提供することが出来る。
【０００７】
請求項２に記載の発明は、請求項１記載の構成において報知器と操作パネルとの間に何も存在しない連続した空間を設けたものである。これにより報知音が操作用基板で遮られることなく、本体外へ大きな報知音を出すことが出来る。
【０００８】
請求項３に記載の発明は、請求項１記載の構成に於いて操作用基板に貫通孔を設けたものである。そして操作用基板に貫通孔を設けることにより、報知音が操作基板で遮られることなく、本体外へ大きな報知音を出すことが出来る。
【０００９】
請求項４に記載の発明は、請求項１から３のいずれか１項記載の構成において本体上部は報知器を配設する周囲の肉厚を他の部分の肉厚より薄く成形したものである。そして報知器の配置される周囲の肉厚を薄くすることにより、報知音は抜けやすくなり、本体外へ大きな報知音を出すことが出来る。
【００１０】
請求項５に記載の発明は、請求項１から４のいずれか１項記載の構成において操作パネルの一部または全部をフィルム状としたものである。そして操作パネルの一部または全部を薄くすることにより、音が抜けやすくなり、本体外へ大きな報知音を出すことが出来る。
【００１１】
請求項６に記載の発明は、請求項１から４のいずれか１項記載の構成において操作パネルは肉厚な基板保護部と操作部分となるフィルム部からなり、操作部分以外にも前記基板保護部に開口部を設け、前記開口部をフィルムのみにする構成としたものである。そして操作部分以外にも基板保護部に開口を設けフィルムのみにすることにより、報知音はさらに抜けやすくなり、本体外へ大きな報知音を出すことが出来る。
【００１２】
請求項７に記載の発明は、請求項１から８のいずれか１項記載の構成において報知器近傍の本体上部の壁に開口を設け撥水処理を施したシートを貼付けたものである。そして報知器近傍の本体上部の壁に開口を設け、シートを貼付け防水構成とすることにより、報知音は抜けやすくなり、本体外へ大きな報知音を出すことが出来る。
【００１３】
【実施例】
以下、本発明の実施例について、図１〜図６を参照しながら説明する。
【００１４】
（実施例１）
本発明の実施例１について図１を参照しながら説明する。図１（ａ）は本実施例の電気湯沸かし器の外観斜視図、（ｂ）は本実施例の要部断面図である。図において、１は外郭を構成する本体下部、２は本体下部１上面部に載置し固定した本体上部、３はフィルム状の操作シート６を備えた操作パネルで本体上部２の上面を覆っている。電気湯沸かし器を操作シート６を介して操作をする操作用基板４と、報知器５は、操作パネル３で上面を密閉された本体上部２の内部の凹部２ａに配置し、操作用基板４の下部に配置されている。本体上部２内の凹部２ａに配置される報知器５は報知器５の周囲の空間を大きく設けた凹部２ａとすることにより、報知音がこの空間で反響し本体上部２が響板となり、本体外へ大きな報知音を出すことが出来る。
【００１５】
（実施例２）
本発明の実施例２について図２を参照しながら説明する。図２は本実施例の電気湯沸かし器の要部断面図である。図において基本の構成は実施例１と同じであるので説明は省略し異なるところを説明する。報知器５は操作用基板４の下部に配置されが、報知器５は操作基板４の真下に位置しないようにし、操作パネル３との間に連続した空間を設けることにより、報知音５が操作用基板４で遮られることなく、本体外へ大きな報知音を出すことが出来る。
【００１６】
（実施例３）
本発明の実施例３について図３を参照しながら説明する。図３は本実施例の電気湯沸かし器の要部断面図である。実施例２と異なるところは、報知器５は操作用基板４の真下に位置し、報知器５の真上の操作用基板４に貫通孔４ａ（本実施例では直径６ｍｍ）を設けることにより、報知音は操作基板４に遮られることなく、本体外へ大きな報知音を出すことが出来る。
【００１７】
（実施例４）
本発明の実施例４について図４を参照しながら説明する。図４は本実施例の電気湯沸かし器の要部断面図である。実施例１と異なるところは、本体上部２は報知器５を配置する凹部２ａの周囲の肉厚ｔを他の部分の肉厚Ｔより薄く（本実施例ではｔ＝０．８ｍｍ）させることにより、報知音は抜けやすくなり、本体外へ大きな報知音を出すことが出来る。
【００１８】
（実施例５）
本発明の実施例５について図５を参照しながら説明する。図５は本実施例の電気湯沸かし器の要部断面図である。実施例１と異なるところは操作パネル３は基板保護部７と、操作シート６を構成するフィルム部からなり、操作部以外（本実施例では液晶部）にも基板保護部７に開口８を設けその部分はフィルム部のみにすることにより、報知音は抜けやすくなり、本体外へより大きな報知音を出すことが出来る
（実施例６）
本発明の実施例６について図６を参照しながら説明する。図６（ａ）は本実施例の電気湯沸かし器の要部断面図である。実施例１と異なるところは報知器４近傍の本体上部２の凹部２ａの壁に開口を設け、シート９を貼付け防水構成とすることにより、蒸気は浸入せずに、報知音は抜けやすくなり、本体外へ大きな報知音を出すことが出来る。なお図６（ｂ）に示すように撥水処理を施したメッシュ状のシートであってもよい。
【００１９】
【発明の効果】
以上のように、本発明によれば、操作パネルで上面を密閉された本体上部の内部に報知器を配置することでも、本体外へ大きな報知音を効果的に出すことが出来る。
【図面の簡単な説明】
【図１】（ａ）本発明の実施例１における電気湯沸かし器の斜視図
（ｂ）同、電気湯沸かし器の要部断面図
【図２】本発明の実施例２における電気湯沸かし器の要部断面図
【図３】本発明の実施例３における電気湯沸かし器の要部断面図
【図４】本発明の実施例４における電気湯沸かし器の要部断面図
【図５】本発明の実施例５における電気湯沸かし器の要部断面図
【図６】（ａ）本発明の実施例６における電気湯沸かし器の要部断面図
（ｂ）同、シートの上面図
【図７】（ａ）従来例の電気湯沸かし器の要部を切欠いた側面図
（ｂ）従来例の電気湯沸かし器の要部断面図
【符号の説明】
１  本体下部
２  本体上部
２ａ  凹部
２ｂ  開口
３  操作パネル
４  操作用基板
４ａ  貫通孔
５  報知器
６  操作シート
７  基板保護部
８  開口
９  シート
【図１】
0003624872.tif 000002
【図２】
0003624872.tif 000003
【図３】
0003624872.tif 000004
【図４】
0003624872.tif 000005
【図５】
0003624872.tif 000006
【図６】
0003624872.tif 000007
【図７】
0003624872.tif 000008